(57)【要約】【課題】装置内部に停留している用紙を容易に排出するようにする。【解決手段】給紙機構１００により送り込まれた用紙が、予め設定された時間経過しても折り済用紙受６００へと搬送されずに装置内部に留まっていることを検知する、用紙停留検知手段を設ける。留まっている用紙を、その部位から折り済用紙受６００へと排出させる、停留用紙排出手段を設ける。用紙停留検出手段は、給紙センサ１２０及び排紙センサ５１０を含み、操作パネル７００にその結果がジャミングランプ７５０の点灯として表れ、停留用紙排出手段は、強制排紙キー７６０を押すことにより排紙動作を行い、これら手段による制御は、ジャミング検出・制御部６５０が統括する。【選択図】        図１
2004345816.tif 000002
【特許請求の範囲】
【請求項１】
折り畳み対象の用紙を装置内部へ送り込んでこの用紙を予め設定された折り寸法、折りパターンに折り畳む紙折り装置であって、次の各構成を有することを特徴とする紙折り装置。
（イ）折り畳み対象の用紙を設定された速度で装置内部へと送り込んで、給紙センサにより、前記用紙が送り込まれたことを検知する給紙機構
（ロ）送り込まれてきた用紙をガイドして移送させる用紙搬送路と、この用紙搬送路内に導入された用紙の先端辺部分を当接させてこの用紙の更なる進入を停止させ、この用紙に対する折り畳み位置を決定する用紙位置決めストッパと、を備えた折り畳み位置決定機構
（ハ）前記折り畳み位置決定機構により決定された折り畳み位置で、前記用紙を折り畳む折りローラ
（ニ）折り畳まれた用紙を折り済用紙受へと搬送し、かつ排紙センサにより、前記折り畳まれた用紙が前記折り済用紙受へと搬送されたことを検知する排紙機構
（ホ）前記折り畳み対象の用紙に対する折りパターンの選定操作、及び折り畳み開始操作を含む、用紙折り畳み操作を行うための操作パネル
（ヘ）前記給紙機構により送り込まれた用紙が、予め設定された時間が経過しても前記折り済用紙受へと搬送されず、装置内部に留まっていることを検知する、用紙停留検知手段
（ト）装置内部に留まっている用紙を、その留まっている部位から前記折り済用紙受へと排出させる停留用紙排出手段
【請求項２】
前記用紙停留検知手段が、前記給紙機構の給紙センサにより、用紙が装置内部に送り込まれたことを検知し、この後、予め設定された時間が経過しても、前記排紙機構の排紙センサにより、折り畳み済みの用紙がこの排紙機構を通過しないことを検出して、装置内部に用紙が留まっていることを検知する手段である請求項１記載の紙折り装置。
【請求項３】
前記用紙停留検知手段が、前記折り畳み位置決定機構の用紙搬送路内に停留する用紙を検出する、用紙停留センサを含む請求項１または請求項２記載の紙折り装置。
【請求項４】
前記折り畳み位置決定機構及び折りローラは、互いに組を成して複数段配設されて、これら折り畳み位置決定機構それぞれに対し、前記用紙停留センサが設けられた構造である請求項３記載の紙折り装置。
【請求項５】
前記用紙停留検知手段は、装置内部に用紙が停留していることを検知したとき、この検知情報を、前記操作パネル内に表示する表示手段を含む請求項１乃至請求項４のいずれか１項に記載の紙折り装置。
【請求項６】
前記停留用紙排出手段は、前記用紙停留検知手段により、用紙が装置内部に留まっていると検知されたとき、この留まっている用紙を強制的に前記折り済用紙受へと排紙する、強制排紙機構を含んで成り、その強制排紙用の操作スイッチが、前記操作パネルに配設された構造である請求項１乃至請求項５のいずれか１項に記載の紙折り装置。
【請求項７】
前記停留用紙排出手段の強制排紙機構は、前記折り畳み位置決定機構及び折りローラが互いに組を成して複数段配設された構成では、２段目以降の折り畳み位置決定機構の用紙搬送路内に用紙が入り込むのを阻止する切換え爪を含んで成る請求項６記載の紙折り装置。
【発明の詳細な説明】
【０００１】
【発明の属する技術分野】
本発明は紙折り装置に関し、特に送り込んだ用紙を予め定められた送り寸法、折りパターンに折り畳む紙折り装置に属する。
【０００２】
【従来の技術】
紙折り装置の一例として、用紙を２段に折り畳むことができる従来の紙折り装置について、図面を参照しながら説明する。
図７はこの種の紙折り装置（第１の例）の全体構成を示す側面図である。この紙折り装置の主要構成は、折り対象の用紙を設定された速度で装置内に送り込む、給紙機構１００と、用紙の最初の折り畳み位置を決定する第１折り畳み位置決定機構２００ｘと、この第１折り畳み位置決定機構２００ｘで決定された折り畳み位置で用紙を折り畳む第１折りローラ４１０と、この第１折りローラ４１０で折り畳まれた用紙の２番目の折り畳み位置を決定する第２折り畳み位置決定機構３００ｘと、この第２折り畳み位置決め機構３００ｘで決定された２番目の折り畳み位置で用紙を折り畳む第２折りローラ４２０と（これら折りローラ（４１０，４２０）は、それぞれが２つのローラで形成されていてその一方を共用している）、この第２折りローラ４２０で折り畳まれた用紙を折り済用紙受６００に搬送排紙する排紙機構５００と、用紙の折り畳みパターン選択などの各種操作を行う操作パネル７００ｘと、を含む。
【０００３】
次に、これら各部について更に詳しく説明する。
まず、給紙機構１００は、給紙ローラＡ１１０、給紙センサ１２０、及び給紙ローラＢ１３０（第１折りローラ４１０の２つのローラのうちの一方を共用）含んで構成され、第１折り畳み位置決定機構２００ｘに対し用紙を１枚ずつ搬送する。
次に、第１折り畳み位置決定機構２００ｘは、その上方から見た平面図と、その側面図とが図８（ａ），（ｂ）に示されており、上ガイド板２１１及び下ガイド板２１２から成り、送り込まれてきた用紙をガイドし搬送する用紙搬送路２１０と、この用紙搬送路２１０内に配置された用紙停止面２２１を含み、用紙搬送路２１０に送り込まれてきた用紙の先端辺部分がこの用紙停止面２２１に当接して、この用紙が用紙搬送路２１０内に更に入り込むのを停止させる用紙ストッパ板２２０と、位置決めモータ２４１ｘ、タイミングベルト２４２ｘ、ガイドねじ軸２４３ｘ、及びガイドブロック２４４ｘから成り、用紙ストッパ板２２０ｘを位置決め固定して用紙の最初の折り畳み位置を決定する位置決め機構部２４０ｘと、を備えた構造となっている。
【０００４】
また、第２折り畳み位置決定機構３００ｘは、その上方から見た平面図と、その側面図とが図９（ａ），（ｂ）に示されており、上ガイド板３１１ｘ及び下ガイド板３１２ｘから成り送り込まれてきた用紙をガイドし搬送する用紙搬送路３１０ｘと、この用紙搬送路３１０ｘ内に配置された用紙停止面３２１ｘを含み、用紙搬送路３１０ｘに送り込まれた用紙の先端辺部分がこの用紙停止面３２１ｘに当接して、この用紙が用紙搬送路３１０ｘ内に更に入り込むのを停止させる用紙ストッパ板３２０ｘと、位置決めモータ３４１ｘ、タイミングベルト３４２ｘ、ガイドねじ軸３４３ｘ、及びガイドブロック３４４ｘから成り、用紙ストッパ板３２０ｘを位置決め固定してこの用紙の２番目の折り畳み位置を決定する位置決め機構部３４０ｘと、を備えた構造となっている。
【０００５】
また、操作パネル７００ｘは、図１０に示すように、各種折り畳みパターンを選択、決定するための折りパターン表示ランプ７１０及び折りパターン選択キー７２０と、用紙の折り動作を開始、操作するスタートキー７３０と、折りパターン等の表示を行う表示部７４０と、を含む。
【０００６】
そして、スタートキー７３０を押すと図１１（ａ），（ｂ）に示すように、先ず、給紙機構１００から用紙８００を、第１折り畳み位置決定機構２００ｘに対し設定された速度で送り込むと、用紙８００が用紙搬送路２１０内に入り込んでガイド、搬送され、その先端辺部分が用紙ストッパ板２２０の用紙停止面２２１に当接して、用紙が更に用紙搬送路２１０内へと入り込まれるのを停止させるが、給紙機構１００からは用紙８００が引き続き設定速度で送り込まれているため、用紙８００は第１折りローラ４１０方向にたわんでその先端部分がこの第１折りローラ４１０にくわえ込まれ、この第１折りローラ４１０により、用紙８００に対する最初の折り畳みが行われる（図１１（ａ））。
【０００７】
続いて、第１折りローラ４１０で折り畳まれた用紙８００は第２折り畳み位置決定機構３００ｘへと送り込まれ、同様の動作により、用紙８００の先端辺部分が停止して第２折りローラ４２０にくわえ込まれ、用紙８００に対し２番目の折り畳みが行われる（図１１（ｂ））。
【０００８】
この第２折りローラ４２０で折り畳まれた用紙８００は、排紙機構５００を通って、折り済用紙受６００に入る。
【０００９】
この紙折り装置では、給紙機構１００の給紙センサ１２０が用紙８００の給紙、搬送を検知すると各部動作がこれに伴って制御され、給紙から一定時間経過した後、排紙センサ５１０により排紙が検知される。従って、一定時間経過した後も排紙センサ５１０により排紙が検知されない場合には、用紙８００がどこかにとどまっている可能性があり、この場合には、装置を一旦停止させて用紙づまりの有無を確認し、とどまっている用紙８００を、手により装置内から引き抜かなければならない。
【００１０】
用紙８００が折り畳み位置決定機構（２００ｘ，３００ｘ）内にとどまっているような場合には、この用紙８００を装置外に引き抜き難い場合があるので、これら折り畳み位置決定機構（２００ｘ，３００ｘ）を装置から取り外しできる構造となっている。
【００１１】
図１２（ａ），（ｂ）は、前述とは異なる紙折り装置（第２の例）の、用紙除去構造を説明するための側面図である。
この紙折り装置は、給紙台９１０上にある用紙８００を１枚ずつ、第１折り畳み位置決定機構９３０に搬送する給紙機構部分が、給紙ローラＡ９２１、給紙ローラＢ９２２、及び折りを兼用する給紙・折りローラ９２３を含み、折りローラ部分が、前述の給紙・折りローラ９２３、折りローラ９４１、排紙を兼用する折り・排紙ローラ９４２、及び切替えガイド９４５を含み、排紙機構９６０部分が、前述の折り・排紙ローラ９４２、排紙ローラ９４３、及びローラ駆動部９６１を含み、これらローラのうち、給紙・折りローラ９２３及び折り・排紙ローラ９４２は、支点９７１を中心に回転可能なレバー９７０に取付けられて、このレバー９７０の回転操作により、他の部分との間で結合、離反する構造となっている。
【００１２】
そして、用紙が第１折り畳み位置決定機構９３０や第２折り畳み位置決定機構９５０、折りローラ等との間にとどまり、つまったような場合には、図１２（ｂ）に示すように、レバー９７０を回転させてこれら機構及びローラとの間を開放して、つまった用紙８００を取り出す構造となっている（例えば、特許文献１参照）。
【００１３】
【特許文献１】
特開２０００−２３８９６０号公報（図１，図３）
【００１４】
【発明が解決しようとする課題】
上述した従来の紙折り装置は、その第１の例では、主要構成が、給紙機構１００、第１折り畳み位置決定機構２００ｘ、第２折り畳み位置決定機構３００ｘ、第１折りローラ４１０、第２折りローラ４２０、排紙機構５００、折り済用紙受６００、及び操作パネル７００ｘを含み、第１折り畳み位置決定機構２００ｘ及び第２折り畳み位置決定機構３００ｘがこの紙折り装置から取り外せる構造となっていて、用紙８００がこれら機構（２００ｘ，３００ｘ）等にとどまって排紙できなくなった場合には、これら第１折り畳み位置決定機構２００ｘ、第２折り畳み位置決定機構３００ｘを、この紙折り装置本体から取り外して、これら機構の中につまった用紙８００を取り出すようになっているが、これら機構（２００ｘ，３００ｘ）部分はかなりの重量（数ｋｇ程度）があるため、つまった用紙の除去作業が困難である、という問題点があり、第２の例では、用紙がつまった場合には、レバー９７０を支点のまわりに回転させてローラ及び各機構の間を開放して、このつまった用紙を取り出す構造となっているので、レバー９７０そのものの重量を直接支えることがなくなり、その負担は軽減されるものの、レバー９７０の回転、開放作業や用紙取り出し作業、レバー９７０を元に戻す作業などがあり、やはり、用紙除去作業が煩雑になる、という問題点がある。
【００１５】
本発明の目的は、上記従来技術の問題点に鑑みて、つまった用紙の取り除きが容易にできる、紙折り装置を提供することにある。
【００１６】
【課題を解決するための手段】
本発明の紙折り装置は、折り畳み対象の用紙を装置内部へ送り込んでこの用紙を予め設定された折り寸法、折りパターンに折り畳む紙折り装置であって、次の各構成を有することを特徴とする。
（イ）折り畳み対象の用紙を設定された速度で装置内部へと送り込んで、給紙センサにより、前記用紙が送り込まれたことを検知する給紙機構
（ロ）送り込まれてきた用紙をガイドして移送させる用紙搬送路と、この用紙搬送路内に導入された用紙の先端辺部分を当接させてこの用紙の更なる進入を停止させ、この用紙に対する折り畳み位置を決定する用紙位置決めストッパと、を備えた折り畳み位置決定機構
（ハ）前記折り畳み位置決定機構により決定された折り畳み位置で、前記用紙を折り畳む折りローラ
（ニ）折り畳まれた用紙を折り済用紙受へと搬送し、かつ排紙センサにより、前記折り畳まれた用紙が前記折り済用紙受へと搬送されたことを検知する排紙機構
（ホ）前記折り畳み対象の用紙に対する折りパターンの選定操作、及び折り畳み開始操作を含む、用紙折り畳み操作を行うための操作パネル
（ヘ）前記給紙機構により送り込まれた用紙が、予め設定された時間が経過しても前記折り済用紙受へと搬送されず、装置内部に留まっていることを検知する、用紙停留検知手段
（ト）装置内部に留まっている用紙を、その留まっている部位から前記折り済用紙受へと排出させる停留用紙排出手段
【００１７】
また、前記用紙停留検知手段が、前記給紙機構の給紙センサにより、用紙が装置内部に送り込まれたことを検知し、この後、予め設定された時間が経過しても、前記排紙機構の排紙センサにより、折り畳み済みの用紙がこの排紙機構を通過しないことを検出して、装置内部に用紙が留まっていることを検知する手段であるか、前記折り畳み位置決定機構の用紙搬送路内に停留する用紙を検出する、用紙停留センサを含む構成を有している。
【００１８】
また、前記折り畳み位置決定機構及び折りローラは、互いに組を成して複数段配設されて、これら折り畳み位置決定機構それぞれに対し、前記用紙停留センサが設けられた構造である構成を有している。
【００１９】
また、前記用紙停留検知手段は、装置内部に用紙が停留していることを検知したとき、この検知情報を、前記操作パネル内に表示する表示手段を含む構成を有している。
【００２０】
更にまた、前記停留用紙排出手段は、前記用紙停留検知手段により、用紙が装置内部に留まっていると検知されたとき、この留まっている用紙を強制的に前記折り済用紙受へと排紙する、強制排紙機構を含んで成り、その強制排紙用の操作スイッチが、前記操作パネルに配設された構造である構成を有し、前記強制排紙機構は、前記折り畳み位置決定機構及び折りローラが互いに組を成して複数段配設された構成では、２段目以降の折り畳み位置決定機構の用紙搬送路内に用紙が入り込むのを阻止する切換え爪を含んで成る構成を有している。
【００２１】
【発明の実施の形態】
本発明の一実施の形態は、折り畳み対象の用紙を装置内部へ送り込んでこの用紙を予め設定された折り寸法、折りパターンに折り畳む紙折り装置であって、
折り畳み対象の用紙を設定された速度で装置内部へと送り込んで、給紙センサにより、上記用紙が送り込まれたことを検知する給紙機構と、
送り込まれてきた用紙をガイドして移送させる用紙搬送路、及びこの用紙搬送路内に導入された用紙の先端辺部分を当接させてこの用紙の更なる進入を停止させ、この用紙に対する折り畳み位置を決定する用紙位置決めストッパ、を備えた折り畳み位置決定機構と、
上記折り畳み位置決定機構により決定された折り畳み位置で、上記用紙を折り畳む折りローラと、
折り畳まれた用紙を折り済用紙受へと搬送し、かつ排紙センサにより、上記折り畳まれた用紙が上記折り済用紙受へと搬送されたことを検知する排紙機構と、
上記折り畳み対象の用紙に対する折りパターンの選定操作、及び折り畳み開始操作を含む、用紙折り畳み操作を行うための操作パネルと、
上記給紙機構により送り込まれた用紙が、予め設定された時間が経過しても上記折り済用紙受へと搬送されず、装置内部に留まっていることを検知する、用紙停留検知手段と、
装置内部に留まっている用紙を、その留まっている部位から上記折り済用紙受へと排出させる停留用紙排出手段と、
を有して構成され、
上記用紙停留検知手段が、上記給紙機構の給紙センサにより、用紙が装置内部に送り込まれたことを検知し、この後、予め設定された時間が経過しても、上記排紙機構の排紙センサにより、折り畳み済みの用紙がこの排紙機構を通過しないことを検出して、装置内部に用紙が留まっていることを検知し、上記操作パネルに表示する手段であり、
上記停留用紙排出手段は、上記用紙停留検知手段により、用紙が装置内部に留まっていると検知されたとき、この留まっている用紙を強制的に上記折り済用紙受へと排紙する、強制排紙機構を含んで成り、その強制排紙用の操作スイッチが、上記操作パネルに配設された構造である、
構成、構造を有している。
【００２２】
このような構成、構造とすることにより、用紙が装置内部に留まっていることを操作パネル上のランプ表示により知ることができ、かつ、このとき、操作パネル上にある強制排紙用の操作スイッチを操作するだけで、装置内部に留まっている用紙を強制的に、折り済用紙受へと排紙することができて、折り畳み位置決定機構の取り外し作業や、人手による用紙の除去作業などを行わなくても、極めて容易に、装置内部に留まっている用紙を除去することができる。
【００２３】
なお、用紙停留検知手段としては、上記の他に、折り畳み位置決定機構内に、その用紙搬送路内に停留する用紙を検出する、用紙停留センサを設けた構成、
のものなどがある。
【００２４】
また、上記折り畳み位置決定機構及び折りローラは、互いに組を成して複数段配設されて、これら折り畳み位置決定機構それそれに対し、上記用紙停留センサが設けられた構造とすることができる。
【００２５】
更に、上記停留用紙排出手段の強制排紙機構は、上記折り畳み位置決定機構及び折りローラが互いに組を成して複数段配設された構成では、２段目以降の折り畳み位置決定機構の用紙搬送路内に用紙が入り込むのを阻止する、切換え爪を含む構成とすることができる。
【００２６】
このような構成、構造とすることにより、後段側の折り畳み位置決定機構の用紙搬送路内に用紙が入り込まないので、この部分で用紙づまりが発生することはなく、短時間に用紙づまりを解消することができる。
【００２７】
【実施例】
次に本発明の実施例について図面を参照して説明する。
図１は本発明の第１の実施例の、紙折り装置全体を示す側面図、図２はその操作パネル部分の平面図、図３（ａ）〜（ｄ）はその強制排紙動作を説明するための側面図である。
この第１の実施例において、その給紙機構１００、第１折りローラ４１０、第２折りローラ４２０、排紙機構５００、及び折り済用紙受６００は、図７に示された第１の従来例と同様の構成、構造であり、その第１折り畳み位置決定機構２００、第２折り畳み位置決定機構３００、及び操作パネル７００が上記第１の従来例と相違しており、また、切換え機構４５０及びジャミング検出・制御部６５０が第１の従来例には無い構成である。
【００２８】
次に、この第１の実施例における、第１の従来例と異なる部分、及び第１の従来例には無かった部分を中心に、この実施例について説明する。
ジャミング検出・制御部６５０は、まず、操作パネル７００のスタートキー７３０が押されて用紙８００の折り畳み動作が始まると、給紙センサ１２０で各用紙８００が装置内部に送り込まれたことを検知し、これを受けて時間計測が開始される。そして予め設定された時間が経過しても、排紙機構５００の排紙センサ５１０が用紙８００の通過を検知しない場合には、装置内部のどこかに用紙８００が停留している、すなわち、ジャミングであると判断し、操作パネル７００に配設されているジャミングランプ７５０を点灯させる（用紙停留検知手段の一例）。
【００２９】
操作パネル７００には、前述のジャミングランプ７５０のほかに、強制排紙キー７６０が配設されていて、ジャミングランプ７５０が点灯しているとき、この強制排紙キー７６０を押すと、これに伴ってジャミング検出・制御部６５０から、各部に対し強制排紙のための信号が出され、これにより強制排紙の動作が行われる。
【００３０】
この強制排紙動作は図３（ａ）〜（ｄ）に示されているが、その説明の前に、折り畳み位置決め決定機構及び折りローラが互いに組を成して複数段（この実施例では２段）配設されている場合には、留まっていた用紙が排紙されるとき、２段目以降の折り畳み位置決定機構内に入り込まないように、折りローラ（４１０，４２０）近傍に配設されている切換え爪４５１及び切換え制御板４５２と、用紙ストッパ板３２０に配設されている爪制御板４５３と、から成る切換え機構４５０が設けられていることと、第１折り畳み位置決定機構２００及び第２折り畳み位置決定機構３００は、その用紙位置決めストッパ２５０，３５０が、ジャミング検出・制御部６５０からの指令により用紙ストッパ板２２０，３２０を強制的に排紙方向に移動させる機能（停留用紙排出手段のうちの１つの機能）を持っている点で第１の従来例と異なっていること、を説明しておく。
【００３１】
そして図３（ａ）〜（ｄ）に示されている強制排紙動作は、用紙８００が第１折り畳み位置決定機構２００の用紙搬送路２１０に停留している場合の例であり、ジャミングランプ７５０が点灯して強制排紙キー７６０が押されると、ジャミング検出・制御部６５０から各部へ制御信号が送出され、まず、図３（ａ）の初期状態から、図３（ｂ）のように用紙位置決めストッパ３５０が排紙方向に移動して、用紙ストッパ板３２０に配設、固定されている爪制御板４５３に切換爪４５１が押されて用紙搬送路３１０内に用紙８００が入り込まないようにすると同時に、用紙８００が第２折りローラ４２０方向に向くようにし、続いて、図３（ｃ）に示すように、各ローラ（１３０，４１０，４２０）を回転させて、図３（ｄ）に示すように、用紙位置決めストッパ２５０を排紙方向に移動させることにより、用紙搬送路２１０に留まっていた用紙８００は、切換え機構４５０にガイドされて第２折りローラ４２０にくわえられ、排紙機構５００を経由して折り済用紙受６００へと排出される。
【００３２】
この実施例では、操作パネル７００上のジャミングランプ７５０により用紙８００が装置内部に停留していることを知ることができ、この場合には、操作パネル７００上の強制排紙キー７６０を押すだけで、装置内部に留まっている用紙８００を、折り済用紙受６００へと排出することができるので、従来例のように折り畳み位置決定機構（２００，３００）を装置から取り外して、留まっている用紙８００を人手により取り除く必要がなく、装置の取扱いに不慣れな作業者であっても、極めて容易に、装置内に停留している用紙を取り除くことができる。
【００３３】
図４は本発明の第２の実施例の、紙折り装置全体の側面図、図５はその操作パネル部分の平面図である。
この実施例が前述の第１の実施例と相違する点は、この第１の実施例に対し、その第１折り畳み位置決定機構２００内に、用紙８００が用紙搬送路２１０内に停留しているのを検知する用紙停留センサ４７０を配設し、第２折り畳み位置決定機構３００内に、用紙８００が用紙搬送路３１０内に停留しているのを検知する用紙停留センサ４８０を設けて、ジャミング検出・制御部６５０ａ及び操作パネル７００ａに、これら用紙停留センサ４７０，４８０で検知された情報に基づいて、ジャミング表示し（ジャミングランプ７５０ａ）、かつ強制排紙する機能を付加した点にある。
【００３４】
このような構成、構造とすることにより、用紙８００の停留位置をより一層適格に把握することができて、排紙動作をより一層素速く、かつ円滑に行うことができる。なお、その他の作用効果は第１の実施例と同様である。
【００３５】
なお、これら実施例において、用紙搬送路２１０，３１０の、用紙ストッパ板２２０，３２０が入り込むスリット部分の用紙導入、排出側に、図６に示すような丸みをつけることにより（３１０に対しては図示省略）、用紙８００が、滑らかに移動するようになって、これら用紙搬送路２１０，３１０内に用紙８００が停留するのを減少させることができる。
【００３６】
【発明の効果】
以上説明したように本発明は、給紙機構により送り込まれた用紙が、予め設定された時間経過しても、折り済用紙受けへと搬送されずに装置内部に留まっていることを検知する、用紙停留検知手段と、装置内部に留まっている用紙を、その留まっている部位から折り済用紙受へと排出させる、停留用紙排出手段と、を設けた構成とすることにより、従来行っていた折り畳み位置決定機構を装置から取り外して停留している用紙を除去する、という煩雑な作業を無くすことができ、停留用紙の排出作業が容易になる、という効果がある。
【図面の簡単な説明】
【図１】本発明の第１の実施例を示す、装置全体の側面図である。
【図２】図１に示された実施例の、操作パネル部分の平面図である。
【図３】装置内に停留した用紙の排紙手順を説明するための側面図である。
【図４】本発明の第２の実施例を示す、装置全体の側面図である。
【図５】図４に示された実施例の、操作パネル部分の平面図である。
【図６】図１乃至図５に示された実施例における、用紙搬送路部分の改良例を示す側面図である。
【図７】従来の紙折り装置の第１の例を示す装置全体の斜視図である。
【図８】図７に示された紙折り装置の第１折り畳み位置決定機構部分の平面図及び側面図である。
【図９】図７に示された紙折り装置の第２折り畳み位置決定機構部分の平面図及び側面図である。
【図１０】図７に示された紙折り装置の操作パネル部分の平面図である。
【図１１】図７〜図１０に示された紙折り装置の用紙折り畳み動作を説明するための側面図である。
【図１２】従来の紙折り装置の第２の例の、装置内に停留した用紙の除去方法を説明するための側面図である。
【符号の説明】
１００  給紙機構
１２０  給紙センサ
２００，２００ｘ  第１折り畳み位置決定機構
２１０  用紙搬送路
２５０，２５０ｘ  用紙位置決めストッパ
３００，３００ｘ  第２折り畳み位置決定機構
３１０  用紙搬送路
３５０，３５０ｘ  用紙位置決めストッパ
４１０  第１折りローラ
４２０  第２折りローラ
４５０  切換え機構
４７０，４８０  用紙停留センサ
５００  排紙機構
５１０  排紙センサ
６００  折り済用紙受
６５０，６５０ａ  ジャミング検出・制御部
７００，７００ａ  操作パネル
７５０，７５０ａ  ジャミングランプ
７６０  強制排紙キー
８００  用紙
９１０  用紙台
９２２  給紙ローラＢ
９２３  給紙・折りローラ
９３０  第１折り畳み位置決定機構
９４１  折りローラ
９４２  折り・排紙ローラ
９４３  排紙ローラ
９５０  第２折り畳み位置決定機構
９６０  排紙機構
９７０  レバー
９８０  スイッチ
【図１】
2004345816.tif 000003
【図２】
2004345816.tif 000004
【図３】
2004345816.tif 000005
【図４】
2004345816.tif 000006
【図５】
2004345816.tif 000007
【図６】
2004345816.tif 000008
【図７】
2004345816.tif 000009
【図８】
2004345816.tif 000010
【図９】
2004345816.tif 000011
【図１０】
2004345816.tif 000012
【図１１】
2004345816.tif 000013
【図１２】
2004345816.tif 000014